(57)【要約】【課題】本発明は、インターネットを利用してＡ３超サイズの画像データを等倍で送信するメール送受信装置に関する。【解決手段】インターネットファクシミリ装置１は、ＬＡＮ制御部１０を介して画像データを送受信する際に、相手先の受信能力がＡ３サイズを超える画像サイズの画像データを受信する受信能力であるときには、Ａ３サイズを超える画像サイズの画像データを等倍で送信する。したがって、Ａ３サイズ以下の画像については、受信側の能力に合わせて送信し、Ａ３サイズよりも大きい画像については、等倍で送信して、ユーザの意図する状態で画像を送信することができる。【選択図】          図１
2006238259.tif 000002
【特許請求の範囲】
【請求項１】
所定の回線を介して、相手先との間でメール通信を行って、画像データを送受信するメール送受信装置において、相手先の受信能力がＡ３サイズを超える画像サイズの画像データを受信する受信能力を備えているときには、前記Ａ３サイズを超える画像サイズの画像データを等倍で送信することを特徴とするメール送受信装置。
【請求項２】
前記メール送受信装置は、前記相手先の等倍受信能力の画像サイズがＡ３サイズ以下の場合、前記送信画像データの画像サイズがＡ３サイズを超える画像サイズであると、当該送信画像データの送信を中止し、前記送信画像データの画像サイズがＡ３サイズ以下であると、当該送信画像データを当該相手先の受信能力の画像サイズに縮小して、送信することを特徴とする請求項１記載のメール送信装置。
【請求項３】
前記メール送受信装置は、前記送信画像データを送信する前に一旦蓄積する画像メモリを備え、前記送信画像データを当該画像メモリに蓄積する際、前記送信画像データの画像サイズがＡ３サイズを超える画像サイズであり、前記相手先の等倍受信能力の画像サイズがＡ３サイズ以下であると、当該送信画像データを当該相手先の受信能力の画像サイズに縮小して前記画像メモリに蓄積し、前記送信画像データの画像サイズがＡ３サイズ以下であると、当該送信画像データを等倍で前記画像メモリに蓄積することを特徴とする請求項１記載のメール送受信装置。
【請求項４】
前記メール送受信装置は、所定の選択手段を備え、前記送信画像データの画像サイズがＡ３サイズを超える画像サイズであり、前記相手先の等倍受信能力の画像サイズがＡ３サイズ以下であると、前記選択手段で、前記送信画像データの縮小が選択されているときにのみ、当該送信画像データを前記相手先の受信能力の画像サイズに縮小して前記画像メモリに蓄積することを特徴とする請求項３記載のメール送受信装置。
【発明の詳細な説明】
【技術分野】
【０００１】
本発明は、メール送受信装置に関し、詳細には、インターネットを利用してＡ３超サイズの画像データを等倍で送信するメール送受信装置に関する。
【背景技術】
【０００２】
ファクシミリ装置は、従来、それ自体単独で動作するいわゆるスタンドアロンで使用されており、従来のファクシミリ通信手順（伝送手順）は、ＩＴＵ（International Telecommunication Union：国際電気通信連合）−Ｔ勧告Ｔ．３０に従って実行される。
【０００３】
近年、通信網の整備によりインターネットが普及しており、ファクシミリ装置においてもインターネットを使用してファクシミリ通信を行うインターネットファクシミリ装置が出現している（特許文献１等参照）。
【０００４】
このようなインターネットファクシミリ装置においては、電子メールにより画像を送信するため、送信時に受信側と能力交換して、受信側能力にあった画像に変換して送信するということができない。
【０００５】
この問題の解決方法として、特開２０００−３４７９５４に記載されているように、ＩＥＴＦ(Internet Enginneriong Task Force)で標準化されているＲＦＣ２５３２で規定されている応答メールにより受信確認と受信側の能力を取得して解決する方法がある（特許文献２、特許文献３等参照）。
【０００６】
【特許文献１】特許第３６０６２３６号公報
【特許文献２】特開２００１−４３１５４号公報
【特許文献３】特開２０００−３４７９５４号公報
【特許文献４】特開２００１−３１３７７８号公報
【発明の開示】
【発明が解決しようとする課題】
【０００７】
しかしながら、上記従来技術にあっては、用紙サイズがＡ３よりも大きい場合、例えば、Ａ２、Ａ０等の幅広には、画像を縮小して送信している。
【０００８】
ところが、用紙サイズがＡ２、Ａ０等の幅広の画像を取り扱う場合には、受信側にとっては、画像が縮小されずに、等倍で、送信されることを要望することが多く、従来のように、縮小されて送信されてくると、画像の取扱の利便性が悪いという問題がある。
【０００９】
そこで、本発明は、Ａ３サイズ以下の画像については、受信側の能力に合わせて送信し、Ａ３サイズよりも大きい画像については、等倍で送信し、ユーザの意図する状態で画像を送信し、利用性の良好なメール送受信装置を提供することを目的としている。
【課題を解決するための手段】
【００１０】
請求項１記載の発明のメール送受信装置は、所定の回線を介して、相手先との間でメール通信を行って、画像データを送受信するメール送受信装置において、相手先の受信能力がＡ３サイズを超える画像サイズの画像データを受信する受信能力を備えているときには、前記Ａ３サイズを超える画像サイズの画像データを等倍で送信することにより、上記目的を達成している。
【００１１】
この場合、例えば、請求項２に記載するように、前記メール送受信装置は、前記相手先の等倍受信能力の画像サイズがＡ３サイズ以下の場合、前記送信画像データの画像サイズがＡ３サイズを超える画像サイズであると、当該送信画像データの送信を中止し、前記送信画像データの画像サイズがＡ３サイズ以下であると、当該送信画像データを当該相手先の受信能力の画像サイズに縮小して、送信するものであってもよい。
【００１２】
また、例えば、請求項３に記載するように、前記メール送受信装置は、前記送信画像データを送信する前に一旦蓄積する画像メモリを備え、前記送信画像データを当該画像メモリに蓄積する際、前記送信画像データの画像サイズがＡ３サイズを超える画像サイズであり、前記相手先の等倍受信能力の画像サイズがＡ３サイズ以下であると、当該送信画像データを当該相手先の受信能力の画像サイズに縮小して前記画像メモリに蓄積し、前記送信画像データの画像サイズがＡ３サイズ以下であると、当該送信画像データを等倍で前記画像メモリに蓄積するものであってもよい。
【００１３】
さらに、例えば、請求項４に記載するように、前記メール送受信装置は、所定の選択手段を備え、前記送信画像データの画像サイズがＡ３サイズを超える画像サイズであり、前記相手先の等倍受信能力の画像サイズがＡ３サイズ以下であると、前記選択手段で、前記送信画像データの縮小が選択されているときにのみ、当該送信画像データを前記相手先の受信能力の画像サイズに縮小して前記画像メモリに蓄積するものであってもよい。
【発明の効果】
【００１４】
本発明のメール送受信装置によれば、画像データを送受信するに際して、相手先の受信能力がＡ３サイズを超える画像サイズの画像データを受信する受信能力を備えているときには、Ａ３サイズを超える画像サイズの画像データを等倍で送信するので、Ａ３サイズ以下の画像については、受信側の能力に合わせて送信し、Ａ３サイズよりも大きい画像については、等倍で送信して、ユーザの意図する状態で画像を送信することができ、利用性を向上させることができる。
【発明を実施するための最良の形態】
【００１５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１６】
図１〜図６は、本発明のメール送受信装置の一実施例を示す図であり、図１は、本発明のメール送受信装置の一実施例を適用したインターネットファクシミリ装置１のブロック構成図である。
【００１７】
図１において、インターネットファクシミリ装置１は、スキャナ２、プリンタ３、不揮発性メモリ４、ＤＣＲ（符号化・復号化部）５、ＣＣＵ（コミュニケーションコントロールユニット）６、制御部７、操作表示部８、ページメモリ９及びＬＡＮ制御部１０等を備えている。
【００１８】
スキャナ２は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ２の原稿読取位置に送給する。スキャナ２は、ＡＤＦから搬送されてきた原稿を走査し、原稿の画像を所定の解像度で画素に分割して、各画素を白黒の画像信号に変換する。特に、スキャナ２は、主走査方向の原稿幅が、ファクシミリ通信プロトコルで取得した相手（受信側）ファクシミリ装置の受信可能な最大サイズ幅を越える大サイズ原稿を読み取る機能を備えている。
【００１９】
プロッタ３は、例えば、電子写真式記録装置等が使用されており、受信した画像データやスキャナ２で読み取った原稿の画像を記録紙に記録出力する。
【００２０】
不揮発性メモリ（画像メモリ）４は、ハードディスク等で構成されており、インターネットファクシミリ装置１の制御に必要な各種情報、例えば、自己局の電話番号、名称等の自局情報、送信時にセットされた読取濃度情報や記録濃度情報等及びその他のインターネットファクシミリ装置１の各種機能を適切に発揮させるために設定された各種設定情報等を記憶する。特に、不揮発性メモリ４は、例えば、図２に示すような電子電話帳データ、スキャナ２で読み取った送信原稿の画像ファイルや受信した画像ファイル等を格納する。
【００２１】
ＤＣＲ４は、画像データの画像蓄積部５への蓄積の効率化や伝送時間の短縮化を図るためのものであり、所定の符号化方式に従って画像データを符号化し、また、符号化された画情報を復号化する。
【００２２】
ＣＣＵ６は、回線、例えば、公衆電話回線または専用回線の接続され、回線からの発呼に対して自動着呼し、また、回線への自動発呼処理を行うＮＣＵ（Network Control Unit）及び送信信号の変調及び受信信号の復調を行モデムに接続されており、相手ファクシミリ装置との間でファクシミリ制御信号を交換して、ファクシミリ通信手順を実行する。
【００２３】
ページメモリ９は、プロッタ３で記録出力される画像データが一旦展開されるものであり、ＣＣＵ６で受信した画像データやコピーモードでスキャナ２で読み取られた画像データが制御部７の制御下で展開されて、展開された画像データをプロッタ３に転送する。
【００２４】
ＬＡＮ制御部１０は、ＬＡＮ（Local Area Network）のイーサネットケーブル（登録商標）等に接続されており、データリンク層制御及び物理層制御、具体的には、ＴＣＰ／ＩＰ（Transmission Control Protocol/Internet Protocol）やＳＭＴＰ（Simple Mail Transfer Protocol ）／ＰＯＰ３（Point Of Production ３）等の通信プロトコルの制御を行う。また、ＬＡＮ制御部１０は、電子メール添付用にＭＩＭＥ（Multipurpose Internet Mail Extension）規格に従った変換処理を行う。特に、ＬＡＮ通信制御部１０は、ＩＴＵ−Ｔ勧告Ｔ．３７フルモードでの通信機能を有しており、送達確認要求を付加したファクシミリ送信や電子メールの送信が可能であり、また、当該送達確認要求に基づく相手先からの送達確認応答メールを受信する。
【００２５】
操作表示部（選択手段）８は、テンキーやスタートキー及びファンクションキー等の各種操作キーを備えるとともに、ディスプレイ（例えば、液晶ディスプレイ）を備えており、操作キーからは、送信操作等の各種命令が入力され、ディスプレイには、操作キーから入力された命令内容やインターネットファクシミリ装置１からオペレータに通知する各種情報が表示される。
【００２６】
制御部７は、ＣＰＵ（Central Processing Unit ）、ＲＯＭ（Read Only Memory）及びＲＡＭ（Random Access Memory）等を備え、ＲＯＭ内には、インターネットファクシミリ装置１の基本処理プログラム及び後述するＡ３超画像等倍送信制御処理プログラム等の各種プログラムを格納しているとともに、これらのＡ３超画像等倍送信制御処理プログラム及び基本処理プログラム等の各種プログラムを実行するために必要な各種データやシステムデータ等が格納されている。システム制御部７は、ＲＯＭ内のプログラムに基づいて、ＲＡＭをワークメモリとして利用して、インターネットファクシミリ装置１の各部を制御し、インターネットファクシミリ装置１としての基本処理を実行するとともに、後述するＡ３超画像等倍送信制御処理を実行する。
【００２７】
次に、本実施例の作用を説明する。本実施例のインターネットファクシミリ装置１は、操作表示部８により複数の宛先が指定された状態で、スキャナ２に原稿がセットされて、送信指示が行われると、スキャナ２で当該原稿の画像を読み取って、スキャナ２で読み取った原稿の画像データを一旦不揮発性メモリ４に記憶した後、ＬＡＮ制御部１０から電子メールとして相手先に送信するが、この画像データがＡ３サイズを超える原稿サイズの画像データであると、縮小することなく、等倍で送信する。
【００２８】
インターネットファクシミリ装置１は、この送信処理を図３に示すように処理する。すなわち、インターネットファクシミリ装置１は、制御部７が、まず、送信相手先の受信能力が分かっているかチェックし（ステップＳ１０１）、送信相手先の受信能力が分かっていないときには、不揮発性メモリ４の原稿の画像データをＬＡＮ制御部１０から等倍で当該相手先に送信して（ステップＳ１０２）、処理を終了する。
【００２９】
ステップＳ１０１で、送信相手先の受信能力が分かっているときには、制御部７は、原稿の画像サイズが送信相手先の受信能力より大きいかチェックし（ステップＳ１０３）、原稿の画像サイズの方が送信相手先の受信能力よりも小さいときには、不揮発性メモリ４の原稿の画像データをＬＡＮ制御部１０から等倍で当該相手先に送信して（ステップＳ１０２）、処理を終了する。
【００３０】
したがって、原稿の画像サイズがＡ３サイズよりも大きいが、送信相手先の受信能力内であれば、等倍で送信することができる。
【００３１】
ステップＳ１０３で、原稿の画像サイズが送信相手先の受信能力より大きいときには、制御部７は、原稿の画像サイズがＡ３サイズ以下であるかチェックし（ステップＳ１０４）、原稿の画像サイズがＡ３サイズ以下であるときには、当該原稿の画像データをＡ３サイズに縮小処理した後、当該縮小した画像データをＬＡＮ制御部１０から当該相手先に送信して（ステップＳ１０５）、処理を終了する。
【００３２】
ステップＳ１０４で、原稿の画像サイズがＡ３サイズよりも大きいときには、制御部７は、画像データの送信を行うことなく、処理を終了する。
【００３３】
そして、上記送信処理において、送信相手先が、ＩＴＵ−Ｔ勧告Ｔ．３７フルモードに対応していると、図４に示すような受信能力を記述した応答メールが返送されてくる。
【００３４】
インターネットファクシミリ装置１は、この応答メールを受信すると、当該相手先の受信能力を不揮発性メモリ４の図２に示した電子電話帳に登録する。制御部７は、この電子電話帳への相手先受信能力登録処理を図５に示すように実行する。
【００３５】
すなわち、制御部７は、図５に示すように、送信相手先から応答メールを受信すると、当該応答メールから送信相手先の受信能力を解析し（ステップＳ２０１）、受信能力を解析すると、当該相手先が電子電話帳に登録されているか検索する（ステップＳ２０２）。制御部７は、当該相手先が電子電話帳に登録されているときには、登録内容を比較して、変更があると、新しい受信能力に変更登録し、また、当該相手先が電子電話帳に登録されていないときには、新たに当該送信相手を登録して、当該送信相手先に受信した当該応答メールで通知された受信能力を登録して、処理を終了する（ステップＳ２０３）。
【００３６】
なお、上記説明においては、原稿の画像データのサイズが送信相手先の受信能力よりも大きく、かつ、Ａ３サイズよりも大きいときには、当該画像データの送信を中止しているが、対応処理としては、画像データの送信を中止する対応方法に限るものではなく、例えば、スキャナ２で読み取った原稿の画像データを、ユーザの選択に応じて、送信相手先の受信能力の大きさに縮小して不揮発性メモリ４に蓄積し、その後、送信してもよい。この場合、インターネットファクシミリ装置１は、図６に示すようにユーザの選択に応じたＡ３超画像等倍蓄積制御処理を実行する。
【００３７】
すなわち、制御部７は、スキャナ２で読み取った原稿の画像データを不揮発性メモリ４に蓄積するに際して、送信相手先の能力が分かっているかチェックし（ステップＳ３０１）、送信相手先の受信能力が分かっていないときには、スキャナ２で読み取った原稿の画像データを等倍で不揮発性メモリ４に蓄積して（ステップＳ３０２）、処理を終了する。
【００３８】
ステップＳ３０１で、送信相手先の受信能力が分かっているときには、制御部７は、原稿の画像サイズが送信相手先の受信能力より大きいかチェックし（ステップＳ３０３）、原稿の画像サイズの方が送信相手先の受信能力よりも小さいときには、スキャナ２で読み取った原稿の画像データを等倍で不揮発性メモリ４に蓄積して（ステップＳ３０２）、処理を終了する。
【００３９】
ステップＳ３０３で、原稿の画像サイズが送信相手先の受信能力より大きいときには、制御部７は、原稿の画像サイズがＡ３サイズ以下であるかチェックし（ステップＳ３０４）、原稿の画像サイズがＡ３サイズ以下であるときには、当該スキャナ２で読み取った原稿の画像データを等倍で不揮発性メモリ４に蓄積して（ステップＳ３０２）、処理を終了する。
【００４０】
ステップＳ３０４で、原稿の画像サイズがＡ３サイズよりも大きいときには、制御部７は、画像データを縮小して蓄積するか否かの問い合わせを行う画面表示を操作表示部８のディスプレイに行い（ステップＳ３０５）、画像の縮小が選択されるかチェックする（ステップＳ３０６）。
【００４１】
ステップＳ３０６で、画像の縮小が選択されると、制御部７は、当該スキャナ２で読み取った原稿の画像データを当該送信相手先の受信能力に合わせて縮小した後、不揮発性メモリ４に蓄積して、処理を終了し（ステップＳ３０７）、縮小しないが選択されると、画像の蓄積を行うことなく、処理を終了する。
【００４２】
このように、本実施例のインターネットファクシミリ装置１は、画像データを送受信する際に、相手先の受信能力がＡ３サイズを超える画像サイズの画像データを受信する受信能力を備えているときには、Ａ３サイズを超える画像サイズの画像データを等倍で送信している。
【００４３】
したがって、Ａ３サイズ以下の画像については、受信側の能力に合わせて送信し、Ａ３サイズよりも大きい画像については、等倍で送信して、ユーザの意図する状態で画像を送信することができ、利用性を向上させることができる。
【００４４】
また、本実施例のインターネットファクシミリ装置１は、相手先の等倍受信能力の画像サイズがＡ３サイズ以下の場合、送信画像データの画像サイズがＡ３サイズを超える画像サイズであると、当該送信画像データの送信を中止し、送信画像データの画像サイズがＡ３サイズ以下であると、当該送信画像データを当該相手先の受信能力の画像サイズに縮小して、送信している。
【００４５】
したがって、無駄なトラフィックが発生することを防止することができるとともに、メールで送信して、その結果のメールを待つ時間を省いて、等倍での送信ができないことを速やかに知ることができ、利用性を向上させることができる。
【００４６】
さらに、本実施例のインターネットファクシミリ装置１は、送信画像データを不揮発性メモリ４に蓄積する際、送信画像データの画像サイズがＡ３サイズを超える画像サイズであり、相手先の等倍受信能力の画像サイズがＡ３サイズ以下であると、当該送信画像データを当該相手先の受信能力の画像サイズに縮小して不揮発性メモリ４に蓄積し、送信画像データの画像サイズがＡ３サイズ以下であると、当該送信画像データを等倍で不揮発性メモリ４に蓄積している。
【００４７】
したがって、無駄なトラフィックが発生することを防止することができるとともに、メールで送信して、その結果のメールを待つ時間を省いて、等倍での送信ができないことを速やかに知ることができ、利用性を向上させることができる。
【００４８】
また、本実施例のインターネットファクシミリ装置１は、送信画像データの画像サイズがＡ３サイズを超える画像サイズであり、相手先の等倍受信能力の画像サイズがＡ３サイズ以下であると、操作表示部８で、送信画像データの縮小が選択されているときにのみ、当該送信画像データを相手先の受信能力の画像サイズに縮小して不揮発性メモリ４に蓄積している。
【００４９】
したがって、ユーザの意図に応じて画像データの蓄積を行い、利用性を向上させることができる。
【００５０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５１】
Ａ３サイズを越える画像を等倍で適切に送信するインターネットファクシミリ装置等のメール送受信装置に適用することができる。
【図面の簡単な説明】
【００５２】
【図１】本発明のメール送受信装置の一実施例を適用したインターネットファクシミリ装置のブロック構成図。
【図２】図１の不揮発性メモリに格納されている電子電話帳の一例を示す図。
【図３】図１のインターネットファクシミリ装置によるＡ３超画像等倍送信制御処理を示すフローチャート。
【図４】受信能力を記述した応答メールの一例を示す図。
【図５】図１のインターネットファクシミリ装置による電子電話帳への相手先受信能力登録処理を示すフローチャート。
【図６】図１のインターネットファクシミリ装置によるユーザの選択に応じたＡ３超画像等倍蓄積制御処理を示すフローチャート。
【符号の説明】
【００５３】
１  インターネットファクシミリ装置
２  スキャナ
３  プリンタ
４  不揮発性メモリ
５  ＤＣＲ
６  ＣＣＵ
７  制御部
８  操作表示部
９  ページメモリ
１０  ＬＡＮ制御部
【図１】
2006238259.tif 000003
【図２】
2006238259.tif 000004
【図３】
2006238259.tif 000005
【図４】
2006238259.tif 000006
【図５】
2006238259.tif 000007
【図６】
2006238259.tif 000008